(57)【要約】【課題】通過帯域外近傍のノッチを残したままで他の通過帯域外領域での減衰量を大きくするノッチ付バンドパスフィルタを提供する。【解決手段】第１インダクタＬ１は第３キャパシタＣ１０を介して第１入出力端子１０に接続するともに第１キャパシタＣ１に接続し、第１インダクタＬ１、第１キャパシタＣ１で第１共振回路を構成する。第２インダクタＬ２は第４キャパシタＣ２０を介して第２入出力端子２０に接続するとともに第２キャパシタＣ２に接続し、第２インダクタＬ２、第２キャパシタＣ２で第２共振回路を構成する。第１共振回路と第２共振回路とは結合用インダクタＭで結合し、第３キャパシタＣ１０の第１インダクタＬ１側と第４キャパシタＣ２０の第２入出力端子２側とはノッチ用キャパシタＣ３で接続する。第１キャパシタＣ１、第２キャパシタＣ２、インダクタＭは、微少インダクタンス値の第３インダクタｍによりグランドに接続する。【選択図】  図１
2007013849.tif 000002
【特許請求の範囲】
【請求項１】
一方端が第１入出力端子に第３キャパシタを介して接続する第１インダクタと、
該第１インダクタと前記第３キャパシタとの接続点に一方端が接続する第１キャパシタと、
一方端が第２入出力端子に第４キャパシタを介して接続するとともに他方端が前記第１インダクタの他方端と接続する第２インダクタと、
該第２インダクタと前記第４キャパシタとの接続点に一方端が接続する第２キャパシタと、
前記第１インダクタの前記第１キャパシタ側と前記第２入出力端子とを接続するノッチ用キャパシタと、
前記第１インダクタの前記第１キャパシタ側に対向する側と前記第２インダクタの前記第２キャパシタ側に対向する側との接続点に一方端が接続する結合用インダクタとを含み、
前記第１キャパシタの他方端、前記第２キャパシタの他方端、および前記結合用インダクタの他方端を互いに接続するとともに、該接続点をグランドに接続する第３インダクタと、を備えたことを特徴とするノッチ付バンドパスフィルタ。
【請求項２】
一方端が第１入出力端子に第３キャパシタを介して接続する第１インダクタと、
該第１インダクタと前記第３キャパシタとの接続点に一方端が接続する第１キャパシタと、
一方端が第２入出力端子に第４キャパシタを介して接続する第２インダクタと、
該第２インダクタと前記第４キャパシタとの接続点に一方端が接続する第２キャパシタと、
前記第１インダクタの前記第１キャパシタ側と前記第２入出力端子とを接続するノッチ用キャパシタとを含み、
前記第１インダクタの前記第１キャパシタ側に対向する側と前記第２インダクタの前記第２キャパシタ側に対向する側とを接続するとともに、前記第１インダクタと前記第２インダクタとが所定の相互誘導結合するように設置し、
前記第１インダクタと前記第２インダクタとの接続点、前記第１キャパシタの他方端、および前記第２キャパシタの他方端を互いに接続するとともに、該接続点をグランドに接続する第３インダクタと、を備えたことを特徴とするノッチ付バンドパスフィルタ。
【発明の詳細な説明】
【技術分野】
【０００１】
この発明は、通過帯域の外側にノッチを有するバンドパスフィルタに関するものである。
【背景技術】
【０００２】
従来、ＦＭ放送やＴＶ放送の受信用チューナ等に用いられるバンドパスフィルタとして、特許文献１に示すようなノッチフィルタ機能付きのバンドパスフィルタ（以下、「ノッチ付バンドパスフィルタ」と称す。）がある。
図４（Ａ）、（Ｂ）は従来のノッチ付バンドパスフィルタの構成例を示す回路図である。
図４（Ａ）に示すノッチ付バンドパスフィルタでは、インダクタＬ１はキャパシタＣ１０を介して第１入出力端子１０に接続されており、このインダクタＬ１のキャパシタＣ１０側はキャパシタＣ１を介してグランドに接続されている。
インダクタＬ２は、キャパシタＣ２０を介して第２入出力端子２０に接続されており、このインダクタＬ２のキャパシタＣ２０側はキャパシタＣ２を介してグランドに接続されている。
インダクタＬ１のキャパシタＣ１接続側端部に対向する端部と、インダクタＬ２のキャパシタＣ２接続側端部に対向する端部とは互いに接続されるとともに、この接続点はインダクタＭを介してグランドに接続されている。
また、キャパシタＣ１０のインダクタＬ１接続側端部と、キャパシタＣ２０の第２入出力部２側端部とは、ノッチ用キャパシタＣ３を介して接続されている。
一方、図４（Ｂ）に示すノッチ付バンドパスフィルタは、図４（Ａ）に示すインダクタＭが省略され、インダクタＬ１とインダクタＬ２との接続点がグランドに接続されており、インダクタＬ１とインダクタＬ２とが相互インダクタンスＭ１２で結合するように配置されたものである。
【０００３】
このような従来のノッチ付バンドパスフィルタは、インダクタＬ１およびキャパシタＣ１を備える第１共振回路とインダクタＬ２およびキャパシタＣ２を備える第２共振回路とをインダクタＭまたは相互インダクタンスＭ１２で結合し、さらにノッチ用キャパシタＣ３を備えることにより、バンドパス機能とノッチ機能とを同時に備える。
【０００４】
これらのようなノッチ付バンドパスフィルタは、図５のような通過特性を示す。
図５は図４に示すノッチ付バンドパスフィルタの通過特性図であり、図５中の１０１は通過特性曲線を示す。
この図５に示すように、図４に示すノッチ付バンドパスフィルタでは、所定の通過帯域の高周波数側（約０．４３ＧＨｚ）に急峻な減衰極（ノッチ）が形成されている。
【特許文献１】特表平１１−５０４１８９号公報
【発明の開示】
【発明が解決しようとする課題】
【０００５】
ところが、前述の従来のノッチ付バンドパスフィルタは、ノッチ用キャパシタＣ３を用いることにより、通過帯域の高周波数側にノッチを形成しているが、このノッチ用キャパシタＣ３が存在することにより、ノッチ周波数よりもさらに高周波数側の領域では信号が通過し易くなる。
【０００６】
図６は従来のノッチ付バンドパスフィルタと、ノッチを備えていないバンドパスフィルタとの通過特性図であり、１０１がノッチ付バンドパスフィルタの特性曲線、１０２がノッチを備えていないバンドパスフィルタの特性曲線を示す。
【０００７】
図６に示すように、ノッチ周波数よりも高周波数側の領域では、ノッチ付バンドパスフィルタはノッチを備えていないバンドパスフィルタよりも減衰量が小さくなる。
【０００８】
ところで、ＣＡＴＶのように多数のチャンネル（周波数）が同時に存在するような放送信号を受信する場合、目的とするチャンネル周波数よりも高い周波数の他のチャンネルが前述の減衰量の小さい周波数領域にあたってしまうことがある。この場合、図４に示すような従来のノッチ付バンドパスフィルタでは、十分な減衰量を得ることができず、他のチャンネルの放送信号が妨害波となってしまう可能性がある。
【０００９】
したがって、この発明の目的は、通過帯域外近傍のノッチを残したままで、他の通過帯域外領域での減衰量を大きくすることができるノッチ付バンドパスフィルタを提供することにある。
【課題を解決するための手段】
【００１０】
この発明のノッチ付バンドパスフィルタは、一方端が第１入出力端子に第３キャパシタを介して接続する第１インダクタと、該第１インダクタと第３キャパシタとの接続点に一方端が接続する第１キャパシタと、一方端が第２入出力端子に第４キャパシタを介して接続するとともに他方端が第１インダクタの他方端に接続する第２インダクタと、該第２インダクタと第４キャパシタとの接続点に一方端が接続する第２キャパシタと、第１インダクタの第１キャパシタ側と前記第２入出力端子とを接続するノッチ用キャパシタと、第１インダクタの第１キャパシタ側に対向する側と第２インダクタの第２キャパシタ側に対向する側との接続点に一方端が接続する結合用インダクタとを備える。さらに、本発明のノッチ付バンドパスフィルタは、第１キャパシタの他方端、第２キャパシタの他方端、および結合用インダクタの他方端を互いに接続するとともに、該接続点をグランドに接続する第３インダクタを備えたことを特徴としている。
【００１１】
この構成では、第１インダクタ、第１キャパシタを備える第１共振回路と、第２インダクタ、第２キャパシタを備える第２共振回路と、これら共振回路を結合する結合用インダクタとが、第３インダクタを介してグランドに接続される。この第３インダクタの挿入により、従来のノッチが現れる周波数とは異なる通過帯域外の所定周波数に新たな減衰極が発生する。
【００１２】
また、この発明のノッチ付バンドパスフィルタは、一方端が第１入出力端子に第３キャパシタを介して接続する第１インダクタと、該第１インダクタと第３キャパシタとの接続点に一方端が接続する第１キャパシタと、一方端が第２入出力端子に第４キャパシタを介して接続する第２インダクタと、該第２インダクタと第４キャパシタとの接続点に一方端が接続する第２キャパシタと、第１インダクタの第１キャパシタ側と第２入出力端子とを接続するノッチ用キャパシタと、第１インダクタの第１キャパシタ側に対向する側と第２インダクタの第２キャパシタ側に対向する側とを接続するとともに、第１インダクタと第２インダクタとが所定の相互誘導結合するように設置する。さらに、本発明のノッチ付バンドパスフィルタは、第１インダクタと第２インダクタとの接続点、第１キャパシタの他方端、および第２キャパシタの他方端を互いに接続するとともに、該接続点をグランドに接続する第３インダクタを備えたことを特徴としている。
【００１３】
この構成では、第１インダクタ、第１キャパシタを備える第１共振回路と、第２インダクタ、第２キャパシタを備える第２共振回路とが所定インダクタンスで相互誘導して結合され、第１共振回路、第２共振回路、および第１共振回路と第２共振回路との接続点が第３インダクタを介してグランドに接続される。この第３インダクタの挿入により、従来のノッチが現れる周波数とは異なる通過帯域外の所定周波数に新たな減衰極が発生する。
【発明の効果】
【００１４】
この発明によれば、通過帯域外に元々存在する減衰極（ノッチ）とともに、このノッチの周波数とは異なる新たな周波数の減衰極（ノッチ）が発生するので、通過帯域外における減衰量が大きい周波数範囲が広くなる。これにより、優れた通過特性のノッチ付バンドパスフィルタを構成することができる。
【発明を実施するための最良の形態】
【００１５】
本発明の第１の実施形態に係るノッチ付バンドパスフィルタについて図１、図２を参照して説明する。
図１は本実施形態のノッチ付バンドパスフィルタの回路図である。
図１に示すノッチ付バンドパスフィルタでは、第１インダクタＬ１の一方端は第３キャパシタＣ１０を介して第１入出力端子１０に接続されるとともに、第１キャパシタＣ１の一方端に接続されている。
第２インダクタＬ２の一方端は、第４キャパシタＣ２０を介して第２入出力端子２０に接続されるとともに、第２キャパシタＣ２の一方端に接続されている。
【００１６】
第１インダクタＬ１の他方端と、第２インダクタＬ２の他方端とは接続されており、この接続点に結合用インダクタＭの一方端が接続されている。
また、第１インダクタＬ１の第３キャパシタＣ１０側と、第４キャパシタＣ２０の第２入出力部２０側とは、ノッチ用キャパシタＣ３を介して接続されている。
【００１７】
第１キャパシタＣ１の他方端と、第２キャパシタＣ２の他方端と、結合用インダクタＭの他方端とは接続されており、この接続点は第３インダクタｍを介してグランドに接続されている。
【００１８】
ここで、第１インダクタＬ１と第２インダクタＬ２とは同じ特性のインダクタであり、第１インダクタＬ１と第２インダクタＬ２との接続点から見て対称な形状に設置されている。
【００１９】
第１キャパシタＣ１と第２キャパシタＣ２とは同じ特性のキャパシタであり、第３キャパシタＣ１０と第４キャパシタＣ２０とは同じ特性のキャパシタである。
【００２０】
また、ノッチ用キャパシタＣ３は他のキャパシタと比較して微少なキャパシタンスを有するものであり、第３インダクタｍは他のインダクタと比較して微少なインダクタンスを有するものである。そして、この第３インダクタｍはインダクタンスが微少であるので、通常、ノッチ付バンドパスフィルタを構成する回路基板の回路パターンにより実現される。
【００２１】
このような構成とすることで、第１インダクタＬ１と第１キャパシタＣ１とから第１共振回路が構成され、第２インダクタＬ２と第２キャパシタＣ２とから第２共振回路が構成される。そして、これら第１共振回路と第２共振回路とが結合用インダクタＭにより相互に結合されることによりバンドパスフィルタが構成される。第３キャパシタＣ１０、第４キャパシタＣ２０はこのフィルタに対して補助用キャパシタとして機能する。
【００２２】
また、ノッチ用キャパシタＣ３を、第１入出力端子１０、第２入出力端子２０に対してアンバランスに接続する、すなわち、前述のように、ノッチ用キャパシタＣ３の一方端を第３キャパシタＣ１０の第１共振回路側に接続点に接続し、他方端を第４キャパシタＣ２０の第２入出力端子２０側に接続することにより、前記バンドパスフィルタの通過帯域の高周波数側境界に減衰極を形成する。
【００２３】
さらに、結合用インダクタＭ、第１キャパシタＣ１、第２キャパシタＣ２を、第３インダクタｍを介してグランドに接続することで、図２に示すような通過特性を得ることができる。
図２は図１に示すノッチ付バンドパスフィルタの通過特性図である。図２において、１００は本実施形態のノッチ付バンドパスフィルタの通過特性曲線を示し、１０１は図４にも示した従来のノッチ付バンドパスフィルタの通過特性曲線を示す。
図２に示すように、本実施形態の構成を用いることで、従来のノッチ付バンドパスフィルタよりもさらに高周波数側に新たな減衰極が発生する。このため、元々の減衰極が現れる約０．５ＧＨｚから、新たな減衰極が現れる約０．９ＧＨｚを介して約１．２ＧＨｚまでの通過量が小さくなる。これにより、従来のノッチ付バンドパスフィルタよりも、通過帯域外の高周波数側の通過特性（減衰特性）を改善することができる。この結果、この改善された周波数帯域に適応する放送信号を除去し、通過帯域に対応する所望の放送信号の受信に対する妨害波を抑圧することができる。
【００２４】
また、前述の構成を用いることで、従来のノッチ付バンドパスフィルタに対して、微少インダクタンスの第３インダクタを加えるだけで良好な通過特性を得ることができるので、すでに回路形成されているノッチ付バンドパスフィルタに若干の手を加えるだけで、通過特性を改善することができる。
【００２５】
次に、第２の実施形態に係るノッチ付バンドパスフィルタについて図３を参照して説明する。
図３は本実施形態のノッチ付バンドパスフィルタの回路図である。
図３に示すノッチ付バンドパスフィルタは、図１に示したノッチ付バンドパスフィルタの第１インダクタＬ１と第２インダクタＬ２との接続点が、直接第３インダクタｍに接続される構造である。また、第１インダクタＬ１と第２インダクタＬ２とは、互いに相互誘導結合して、相互インダクタンスＭ１２が生じるように設置されている。例えば、第１インダクタＬ１と第２インダクタＬ２とを空芯コイルで構成し、互いが磁気結合するように配置する。その他の構成については、図１に示すノッチ付バンドパスフィルタと同じである。
【００２６】
この構成のノッチ付バンドパスフィルタは、第１インダクタＬ１と第２インダクタＬ２とによる相互インダクタンスＭ１２により、第１共振回路と第２共振回路とが結合する。このような構成のノッチ付バンドパスフィルタであっても、前述の第１の実施形態と同様に、通過特性を改善することができる。
【００２７】
なお、前述の各実施形態では、第１共振回路、第２共振回路を構成するキャパシタは、固定キャパシタンスのものを用いたが、バラクタダイオードを固定キャパシタンスのキャパシタに直列接続する回路を用いたりすることで、通過帯域の周波数を可変にすることができる。そして、このような通過帯域の周波数が可変となるノッチ付バンドパスフィルタであっても、前述の構成を適用することができ、前述の効果を奏することができる。
【図面の簡単な説明】
【００２８】
【図１】第１の実施形態のノッチ付バンドパスフィルタの回路図
【図２】図１に示すノッチ付バンドパスフィルタの通過特性図
【図３】第２の実施形態のノッチ付バンドパスフィルタの回路図
【図４】従来のノッチ付バンドパスフィルタの構成例を示す回路図
【図５】図４に示すノッチ付バンドパスフィルタの通過特性図
【図６】従来のノッチ付バンドパスフィルタと、ノッチを備えていないバンドパスフィルタとの通過特性図
【符号の説明】
【００２９】
１０，２０−入出力端子
Ｌ１，Ｌ２，Ｍ，ｍ−インダクタ
Ｃ１，Ｃ２，Ｃ１０，Ｃ２０，Ｃ３−キャパシタ
【図１】
2007013849.tif 000003
【図２】
2007013849.tif 000004
【図３】
2007013849.tif 000005
【図４】
2007013849.tif 000006
【図５】
2007013849.tif 000007
【図６】
2007013849.tif 000008